(57)【要約】【課題】  病院施設内において、入院患者の預り金管理業務と預り金管理業務に直接かかわる売店のサービス業務を一元化すること。【解決手段】  入院患者毎の預り金データが格納されているシステムサーバと、売店に設けられた第１のコンピュータ端末機と、及び光学読取り手段と、で構成されており、先ず入院患者の識別コードを第１のコンピュータ端末機に入力した後、第１のコンピュータ端末機で伝票に基づいて現金の入金及び出金入力を行うと、預り金データに含まれている預り金の金額が更新され、また光学読取り手段で商品コードを読込むと、預り金データについて商品の価格に応じて預り金の金額を更新し且つ商品コードに対応する商品の種類が書込まれる。【選択図】  図２
2005056220.tif 000002
【特許請求の範囲】
【請求項１】
病院の入院患者又は介護施設の利用者である個人毎に預り金データが記憶されている預り金データ記憶部と、
施設内の売店に設けられ、前記個人について作成された伝票に基づいて入金或いは出金入力を行うための第１のコンピュータ端末機と、
前記売店に設けられ、前記個人が購入する商品に付してある商品の種類及び価格に対応する商品コードの読取りを行うための光学読取り手段と、
第１のコンピュータ端末機による入力又は光学読取り手段による読取りを行うときに、対応する前記個人の識別コードを入力するための入力手段と、
前記第１のコンピュータ端末機における入金或いは出金入力時に、入力手段により入力された識別コードに対応する前記預り金データに含まれている預り金の金額を更新すると共に、光学読取り手段による商品コードの読取り時に、入力手段により入力された識別コードに対応する前記預り金データについて、商品の価格に応じて預り金の金額を更新し且つ商品コードに対応する商品の種類を書込むための手段と、を備えたことを特徴とする施設の預り金管理システム。
【請求項２】
前記預り金データは、商品の種類、入金、出金及び現金繰越金額を対応づけた小遣い帳データと、入金、出金及び預金繰越額を対応づけた預金データと、を含むことを特徴とする請求項１記載の施設の預り金管理システム。
【請求項３】
前記預り金データ記憶部は、システムサーバに設けられていることを特徴とする請求項１又は２記載の施設の預り金管理システム。
【請求項４】
前記預り金データ記憶部は、第１のコンピュータ端末機に設けられていることを特徴とする請求項１又は２記載の施設の預り金管理システム。
【請求項５】
施設は病院であり、前記個人の各々について作成された伝票に基づいて入金或いは出金入力を行うための第２のコンピュータ端末機を病院内の病棟に設けたことを特徴とする請求項１ないし４のいずれかに記載の施設の預り金管理システム。
【請求項６】
施設は介護施設であり、前記個人の各々について作成された伝票に基づいて入金或いは出金入力を行うための第２のコンピュータ端末機を介護スタッフステーションに設けたことを特徴とする請求項１ないしは５のいずれかに記載の施設の預り金管理システム。
【請求項７】
前記第２のコンピュータ端末機は、前記システムサーバ内の預り金データを読み出して表示できる手段を備えていることを特徴とする請求項１ないしは６のいずれかに記載の施設の預り金管理システム。
【請求項８】
前記第２のコンピュータ端末機は、売店で販売している商品の注文指示とその注文に係る前記個人の識別コードとを前記第１のコンピュータ端末機に送信するための手段を備えていることを特徴とする請求項１ないしは7のいずれかに記載の施設の預り金管理システム。
【発明の詳細な説明】
【技術分野】
【０００１】
本発明は、例えば精神病院の入院患者或いは介護施設の利用者の預り金を管理するための施設の預り金管理システムに関する。
【背景技術】
【０００２】
精神病院では、入院患者に金銭管理を任せられにくいことから、入院患者の現金及び預金通帳を預かって病院側で管理しており、一般的には、病院事務室で、入院患者のお小遣いをコンピュータ内に作成した小遣い帳で管理している。例えば売店で商品を購入した場合、商品購入時に発行されるレシート及び伝票を病院事務室に持ってきて入院患者毎にデータベースとして記憶されている小遣い帳に、レシート及び伝票に記載された内容の入力を行っている。また例えば入院患者の保護者からお小遣いとして入金があった場合も病院事務室で入力処理を行っている。
【０００３】
一方入院患者の商品購入システムとして、例えば特許文献１に記載されたシステムがある。このシステムは、各入院患者の識別コードを記録するシステムサーバと、売店に配置されたコンピュータ端末機と、で構成されている。
【０００４】
前記コンピュータ端末機に設けられ且つ各入院患者の識別コード及び売店に陳列している商品の商品コードを入力手段によりコンピュータ端末機に入力し、各入院患者の識別コードとシステムサーバに記録された識別コードとが一致したときに、コンピュータ端末機は購入金額をシステムサーバに送出し、その商品が入院患者に販売され、システムサーバは各入院患者の購入金額を記憶し、金融機関に設定された各入院患者の口座からシステムサーバ内の合計金額を自動的に引き落として売店に支払うという方法が記載されている。なお特許文献１では、入院患者の識別コードについては光学読取り装置が読取ることが記載されているが、商品コードについてはテンキー等で入力することしか記載されていない。
【０００５】
この方法によれば、預り金管理者及び売店の店員は直接入院患者の金銭を取り扱わず、入院患者が支払うべき費用を前記システムサーバで預託及び管理することで、入院患者は現金を携帯せずに商品を購入することができる。
【０００６】
【特許文献１】特開２００２−２４５１６６（請求項１、段落００１３、段落００１４、図１参照）
【発明の開示】
【発明が解決しようとする課題】
【０００７】
しかしながら、預り金管理者が病院事務室でその都度レシート及び伝票入力を行う業務は面倒であるので、結果として売店の営業時間が終わった後にまとめて入力作業を行うことになり、リアルタイムで預り金を把握することができない。
【０００８】
また特許文献１のシステムは、システムサーバ側に購入金額のデータが送られるだけであるから、入院患者の小遣い帳については管理ができない。従って入院患者のお小遣いとして保護者から入金があった場合或いは伝票を起こして現金を引出した場合などにおいては、やはり事務所にて現金の入力処理を行わなければならず、小遣い帳の内容をリアルタイムで更新することが困難である。
【０００９】
本発明は係る事情に鑑みてなされたものであって、その目的は、簡単に病院の入院患者又は介護施設の利用者の預り金を管理することができる施設の預り金管理システムを提供することにある。
【課題を解決するための手段】
【００１０】
本発明の施設の預り金管理システムは、病院の入院患者又は介護施設の利用者である個人毎に預り金データが記憶されている預り金データ記憶部と、
施設内の売店に設けられ、前記個人について作成された伝票に基づいて入金或いは出金入力を行うための第１のコンピュータ端末機と、
前記売店に設けられ、前記個人が購入する商品に付してある商品の種類及び価格に対応する商品コードの読取りを行うための光学読取り手段と、
前記第１のコンピュータ端末機による入力又は光学読取り手段による読取りを行うときに、対応する前記個人の識別コードを入力するための入力手段と、
前記第１のコンピュータ端末機における入金或いは出金入力時に、入力手段により入力された識別コードに対応する前記預り金データに含まれている預り金の金額を更新すると共に、光学読取り手段による商品コードの読取り時に、入力手段により入力された識別コードに対応する前記預り金データについて、商品の価格に応じて預り金の金額を更新し且つ商品コードに対応する商品の種類を書込むための手段と、を備えたことを特徴とする。
【００１１】
前記預り金データ記憶部は、システムサーバ又は第１のコンピュータ端末機に設けられる。
【００１２】
この発明は、例えば精神病院や介護施設にて適用される。また老人性疾患の患者を収容する病院にも適用することができる。前記光学読取り手段は、例えばＰＯＳレジスタである。また前記預り金データは、例えば商品の種類、入金、出金及び現金繰越金額を対応づけた小遣い帳データと、入金、出金及び預金繰越金額を対応づけた預金データと、を含む。この発明においては、各入院患者について作成された伝票に基づいて入金或いは出金入力を行うための第２のコンピュータ端末機を病院内の病棟にも設けることが好ましい。また施設が介護施設である場合には、第２のコンピュータ端末機は介護者が待機する介護スタッフステーションに設けることが好ましい。更にまた第２のコンピュータ端末機は、システムサーバ内の預り金データを読み出して表示できる手段を備えていることが好ましく、更にまた第２のコンピュータ端末機は、第１のコンピュータ端末機に売店で販売している商品の注文指示とその注文に係る例えば入院患者の識別コードとを送信するための手段を備えていることが好ましい。この場合、第２のコンピュータ端末機は注文指示に加えて商品の在庫有無の照合を送信できるようにすることがより好ましい。
【発明の効果】
【００１３】
本発明によれば、病院の入院患者又は介護施設の利用者である個人毎に預り金データの入力処理を施設内の売店で一括して行うようにし、また入院患者等が売店に販売している商品を購入したとき、光学読取り手段による商品コードの読取りにより預り金の金額を更新し且つ商品コードに対応する商品の種類が書込まれるため、預り金データの入力作業が簡単になる。
【００１４】
また、各入院患者について作成された伝票に基づいて入金或いは出金入力を行うための第２のコンピュータ端末機を例えば病院内の病棟に設けるようにすれば、例えば患者の保護者などが病棟から売店に出向かなくてもその病棟で伝票の入力処理ができるため、便利である。
【００１５】
更に、第２のコンピュータ端末機からシステムサーバ内の預り金データを読み出して表示できるようにすれば、例えば医師などが、入院患者がその日或いは直前に何を食べたのか分かるため、対処の判断に貢献することができる。また介護施設の介護スタッフステーションに第２のコンピュータ端末機を設けることにより、介護スタッフが入居者の健康状態が分かるため同様の効果がある。
【００１６】
更にまた、第２のコンピュータ端末機から第１のコンピュータ端末機に、売店で販売している商品の注文指示を自動的に行うようにすれば、病棟や看護スタッフステーションから売店に出向かなくてもよく、また電話による注文などと比較して売店側の負担も少なくなり、注文ミスを防ぐことができる。
【発明を実施するための最良の形態】
【００１７】
以下、本発明における施設の預り金管理システムを精神病院に適用した実施の形態について図１〜図６を用いて説明する。図１は本発明における病院の預り金管理システムの全体構成を示す概念図である。病院内の売店には第１のコンピュータ端末機１１と光学読取り手段であるＰＯＳレジスタ１２とが設けられており、病院内の病院事務室１３及び病棟１４には第２のコンピュータ端末機１５が夫々設けられている。前記第２のコンピュータ端末機１５が設けられる病棟１４とは、例えばナースステーションである。前記第１のコンピュータ端末機１１、前記ＰＯＳレジスタ１２及び第２のコンピュータ端末機１５は信号回線１６例えばＬＡＮ（Ｌｏｃａｌ  Ａｒｅａ  Ｎｅｔｗｏｒｋ）によってシステムサーバ１７と夫々接続されている。
【００１８】
図２は、図１の本発明における病院の預り金管理システムの全体構成を説明する説明図である。先ず第１のコンピュータ端末機１１とＰＯＳレジスタ１２とを備えた売店１０の機能について述べる。２１は例えばキーボードやマウスなどから成る入力手段であり、この入力手段２１を介して入院患者である個人毎に作成された伝票に基づいて、その入院患者の識別コード、入金或いは出金の金額、摘要などが入力される。この摘要とは商品の種類、個数などである。なお商品の種類には「チョコレート」、「タバコ」などといった商品の名称の他に、理容、クリーニングといった用途も含む意味である。また伝票とは、例えば入金伝票及び出金伝票などである。前記入金伝票には入金するための摘要と入金の金額が記載されており、前記出金伝票には出金するための摘要と出金の金額が記載されている。
【００１９】
２２は図１中の光学読取り手段であるＰＯＳレジスタ１２であり、売店１０で販売している商品に付してある商品の種類及びその金額をコード化した商品コードの読取りと、伝票に付してあるバーコードの読取りと、を行う。２３は例えば液晶ディスプレイで画面の表示ができる表示手段である。前記表示手段２３の表示部分は内側と外側の二つの画面で構成されており、外側の画面で例えば商品を購入するための購入画面が表示されるようになっている。２４は例えばプリンタで帳票の出力ができる帳票出力手段である。ここで帳票とは、例えば小遣い帳、預り証明証、預り金残高確認書、出金伝票及び入金伝票などである。２５は例えば後述の入院患者毎に記憶された預り金データなどの照会データを照会するための照会指示手段である。この照会指示手段２５は例えば表示手段２３及び入力手段２１が並用され、画面に基づいて照会データの照会指示を行い、照会データを画面に表示する動作を行う。
【００２０】
２６は記憶部であり、この記憶部２６には、例えば入力手段２１で伝票に基づいて入力したデータ及びＰＯＳレジスタ２２で読取った商品データ（商品の種類、金額、個数）を、入力手段２１で入力された入院患者の識別コードに対応付けて記憶する記憶部である。商品の種類としては、タバコ、チョコレート、タオルなどの商品の一般名称が挙げられる。２７はプログラムであり、このプログラム２７には、例えば入力手段２１で入力したデータ及びＰＯＳレジスタ２２で読取った商品データ（商品の種類、金額、個数）を記憶部２６へ入力し、システムサーバ１７から読み出した預り金データを記憶部２６に入力されたデータに基づいて更新し、システムサーバ１７へ出力を行うための一連のプログラムである。なお、実際には前記プログラム２７はメモリ内に格納されているが、説明の便宜上プログラムに符号を付して説明してある。
【００２１】
次に第２のコンピュータ端末機１５を備えた病院事務室１２及び病棟１３の機能について述べる。ここで病棟１３に設けられる第２のコンピュータ端末機１５は病院事務室１２に設けられている第２のコンピュータ端末機１５と同じ機能を有しているため、図２中の病棟１３の機能は便宜上省略した。３１は例えばキーボードやマウスなどから成る入力手段であり、この入力手段３１を介して入院患者毎に作成された伝票に基づいて、その入院患者の識別コード、入金或いは出金の金額、既述の摘要などが入力される。３２は例えば液晶ディスプレイで画面の表示ができる表示手段である。３３は発注手段であり、この発注手段３３は、例えば売店１０で販売している商品を病院事務室１２及び病棟１３から例えばメール送受信機能を利用して入院患者が購入したい商品の照会（在庫有無の照合）と発注とをするためのものである。
【００２２】
ここで発注手段３３について図３及び図４を用いて詳しく述べると、病院事務室１２又は病棟１３において、先ず表示手段３２例えば液晶ディスプレイに表示された発注画面に入力手段３１例えばキーボードで入院患者の識別コードを入力し、次に購入したい商品の商品名、個数を入力する。入力後、メール送受信機能を利用して発注画面の内容をメールとして送信する。前記メールは信号回線１１を介してメール信号として第１のコンピュータ端末機１１に送られる。売店１０の表示手段２３例えば液晶ディスプレイでは、前記メール信号の応答としてメール受信の受注画面が表示される。また図４に示すように表示手段３２例えば液晶ディスプレイに表示された発注画面には、注文商品の合計金額が予め設定された金額を越えた場合に限り報知手段によって例えばブザーを鳴らして発注者に商品の購入ができないことを知らせるようになっている。設定額を超えた時に商品を削除する場合は、液晶画面の「取消し」ボタンに触れると、「取消し」ボタンを触れた欄の商品が削除され、液晶画面の「戻し」ボタンに触れると、「戻し」ボタンの欄の商品が再表示されるようになっている。
【００２３】
３４は帳票出力手段、３５は照会指示手段、３６は記憶部であり、これら帳票出力手段３４、照会指示手段３５及び記憶部３６は既述の第１のコンピュータ端末機１１と同様の機能を有する。３７はプログラムであり、既述の第１のコンピュータ端末機１１と同様の機能を有するが、但しＰＯＳレジスタ２２を用いた機能は含まれていない。
【００２４】
前記システムサーバ１７には照会データ記憶部（預り金データを記録する預り金データ記憶部に相当する）４０、照会データ作成プログラム４１及び照会データ送信プログラム４２が備えられている。前記照会データ記憶部４０は、入院患者毎に作成された預り金データなどの照会データを記憶する。
【００２５】
この預り金データの一例を図５に示す。図５の摘要には商品の種類が入力される欄と各商品の種類に対する数量、単価、合計、消費税が入力される欄とが設けられている。またお小遣い帳には、伝票に基づいて現金の入金及び出金が入力される欄とその現金繰越額が更新される欄とが設けられている。預金通帳には伝票に基づいて現金の入金及び出金を入力される欄とその預金繰越額が更新される欄とが設けられ、総合計には残高合計及び貸付残高が更新される欄とが設けられている。ここで貸付残高とは、預り金データに現金が０円である場合、一時現金を立て替えておくために設けられた貸付機能である。
【００２６】
前記照会データ作成プログラム４１は、例えば売店１０に備えられた第１のコンピュータ端末機１１と、病院事務室１２及び病棟１３に備えられた第２のコンピュータ端末機１５とから送られてくるデータに基づいて預り金データなどの照会データを作成するものである。前記照会データ送信プログラム４２は、例えば前記照会データ記憶部４０に記憶されている照会データを売店１０に備えられた第１のコンピュータ端末機１１と、病院事務室１２及び病棟１３に備えられた第２のコンピュータ端末機１５とに送信するものである。なお、実際にはこれらのプログラム４１及び４２はメモリ内に格納されているが、説明の便宜上プログラムに符号を付して説明してある。５１はバスである。
【００２７】
続いて上述の実施の形態の作用について説明する。このシステムが適用される病院の入院患者Ａに対する預り金管理を種々の例を挙げて説明を行う。今入院患者Ａが例えば看護師と共に売店１０に買い物に行き、売店１０に陳列してある商品を選び、売店１０のレジカウンタに持って行くとする。看護師は入院患者Ａの識別コードを記載したＩＤカードを提示し、レジカウンタでは売店員が入院患者Ａの識別コードに基づいて第１のコンピュータ端末機１１の入力手段２１例えばキーボードで入院患者Ａの識別コードを入力すると、この識別コードがシステムサーバ１７に送られて、システムサーバ１７内の図５に示す預り金データの中から当該識別コードに対応する預り金データが読み出され、第１のコンピュータ端末機１１の表示手段２３例えば液晶ディスプレイに表示される。ここでカウンタにある表示手段２３例えば液晶ディスプレイは、既述のように２台設けられ、入院患者Ａ側に向けられた画面及び売店員側に向けられた画面には、同一の画面が表示される。また各入院患者の識別は前記ＩＤカードの他に、例えば入院患者の識別コードが書込まれた磁気カードやＩＣ（集積回路）カードをＩＤカードとして用いて、例えばカード読取り機により読取りを行い第１のコンピュータ端末機１１内に取込むようにしてもよい。また、識別コードに対応するバーコードが書かれたタグやカードを例えばバーコード読取り機で読込んで各入院患者の識別を行ってもよい。
【００２８】
入院患者Ａが選んだ商品を売店員が例えばＰＯＳレジスタ２２で商品に付してある商品コードの読取りを行うと、既にシステムサーバ１７から第１のコンピュータ端末機１１に読み出されている入院患者Ａの預り金データに対して商品の種類、数量、単価、合計額、消費税が書込まれる。例えば売店１０で○○チョコレートを２個購入すると、お小遣い帳の出金の欄に合計額（２１０円）が書込まれると共に現金繰越額が更新され、更に総合計の欄の残高合計が更新される。
【００２９】
また、入院患者Ａが例えば病院内の理髪店に整髪するために行く場合には、保護者或いは看護師などの付き添い人により、入力手段２１（３１）によって摘要の欄に理容を入力し、且つ出金額の欄にその金額を入力した出金伝票が帳票出力手段２４（３４）によって出力される。そして入院患者Ａの付き添い人はこの出金伝票を持って入院患者Ａと理髪店に行く。整髪後、入院患者Ａ或いは看護師などの付き添い人が理髪店に行った確認として出金伝票にサインをする。後日、理髪店の理髪師がこの出金伝票を売店１０のレジカウンタに持って行く。レジカウンタでは売店員がＰＯＳレジスタ２２で出金伝票に付してあるバーコードの読取りを行うと、既にシステムサーバ１７から第１のコンピュータ端末機１１に読み出されている入院患者Ａの預り金データに対して理容代（２０００円）が書込まれると、お小遣い帳の出金の欄に合計額（２０００円）が書込まれると共に現金繰越額が更新され、更に総合計の欄の残高合計が更新され、現金（２０００円）が売店員から理髪師に支払われる。
【００３０】
また、入院患者Ａが例えば病院の外に買い物に行く場合には、保護者或いは看護師などの付き添い人により、摘要の欄にお小遣い代を記載し、且つ出金額の欄にその金額を記載した出金伝票が作成される。そして入院患者Ａ或いは看護師はこの伝票を持って売店１０のレジカウンタに持って行き、レジカウンタでは売店員が同様に入院患者Ａの識別コードに基づいて第１のコンピュータ端末機１１に入力する。これによりシステムサーバ１７から入院患者Ａの預金データが第１のコンピュータ端末機１１に読み出される。そして伝票を扱う場合には、例えば伝票の入力画面が表示手段２３によって表示され、売店員が入力手段２１でその入力画面を用いて摘要の欄に必要な入力を行う。この場合には、例えばお小遣い代、合計額が入力され、お小遣い帳の出金の欄に合計額が書込まれると共に現金繰越額が更新され、更に総合計の欄の残高合計が更新され、現金が売店員から保護者或いは看護師などの付き添い人に手渡される。この入力画面が表示されているときには、入院患者Ａの預り金データを表示しないようしてもよいが、当座預金データを表示し、画面の隅に入力画面を表示するようにしてもよい。その他伝票の摘要の欄に必要な項目を入力することによって上述と同様の処理を行うことができる。具体的に述べると、保険庁からの年金振込入金・出金処理、病院窓口での入金・出金処理、振込及び現金書留入金・出金処理、退院時の精算処理、入院患者で現金を自ら管理できる人への出金処理、タバコ代支払伝票処理、外出時出金・帰院時入金処理、他科受診付添処理、歯科診療代処理、レクレーション行事・料理実習分担金処理、おむつ代処理、病衣使用代金処理、洗濯委託代金処理、ランドリー代金処理、共有マット代金処理、牛乳代金処理、物品破損代金処理、郵便物・新聞代金処理などである。
【００３１】
また、入院患者Ａの銀行の預金通帳から預り金データのお小遣い帳へ現金を移す場合又は預り金データの小遣い帳及び預金通帳に直接現金を入金する場合は、これも伝票に基づいて入力手段２１（３１）で入力することで照会データの現金繰越額及び残高合計が更新される。
【００３２】
また、病棟１３で、医者が入院患者Ａの診察を行う場合には、ナースステーションにて第２のコンピュータ端末機１５の照会指示手段３５の操作によってシステムサーバ１７内から入力した入院患者Ａの識別コードに対応する預り金データが読み出され、表示手段３２例えば液晶ディスプレイに入院患者Ａの預り金データを表示させ、このデータを診察の参考にする。
【００３３】
更にまた、病棟１３で、例えば入院患者Ａが売店１０に陳列してある商品を購入する場合には、第２のコンピュータ端末機１５の発注手段３３の操作によって商品の購入を行う。
【００３４】
また、前記プログラム２７（３７）には、例えば預り金データや入金伝票及び出金伝票に日付及び時間が自動的に入力される機能が備わっている。この機能は、例えば伝票作成時にその時の日付及び時間が伝票入力と共に自動的に伝票に記載されるようになっている。
【００３５】
本発明は上述の構成に限られず、例えばＰＯＳレジスタ２２のＰＯＳのみを設け、このＰＯＳのデータ処理を第１のコンピュータ端末機１１で行ってもよい。即ち、この場合レジスタの機能を第１のコンピュータ端末機１１に持たせている。また照会データ記憶部４０は例えば第１のコンピュータ端末機１１或いはＰＯＳレジスタ２２に機能を持たせ、システムサーバ１７を設けず、第１のコンピュータ端末機１１と第２のコンピュータ端末機１５とを接続する構成であってもよい。
【００３６】
最後に本発明の実施の形態のイメージを図６に示しておく。
【００３７】
上述の実施の形態によれば、病院の入院患者毎に預り金データの入力処理を病院施設内の売店１０で一括して行うようにし、また入院患者が売店に販売している商品を購入したとき、入院患者毎に記憶された預り金データに対して光学読取り手段例えばＰＯＳレジスタ２２による商品コードの読取りにより預り金の金額を更新し且つ商品コードに対応する商品の種類が書込まれるため、今まで病院事務室で商品購入時に発行されるレシート及び伝票に基づいて行っていた預り金データの入力作業が簡略化される。そしてこのようにリアルタイムで入力が行われることから、結果としてリアルタイムで預り金データの状況が売店１０以外の病院事務室１３及び病棟１４でも見ることができるようになり、従って保護者や看護スタッフ等がその入院患者の小遣い残高等の預り金の状況に応じて迅速に対応を取ることができる。
【００３８】
また、売店１０以外に病院事務室１３及び病棟１４においても現金の入金及び出金入力を行うことができることから、例えば来客者がお見舞金として入院患者に現金を手渡す場合などにおいて、病棟１４でシステムサーバ１７に記憶されている預り金データに現金を直接入力することができるので、後から病院事務室１３で現金の入力作業を行う手間と入力作業の失念が無くなり、その結果、事務作業の効率化が図れるようになった。
【００３９】
更にまた、病棟１４でシステムサーバ１７に記憶された、リアルタイムで更新される預り金データを見ることができるので、入院患者が売店１０で購入した商品の履歴を、医師がその場で把握することができ、従って入院患者の状況、例えばその時の患者の健康状態とその前に飲食した物との因果関係などを直ちに把握することができ、適切な判断及び対応を取ることができる。
【００４０】
更に、売店１０で販売している商品を病院事務室１３及び病棟１４から発注をすることができるので、例えば電話などで商品を注文をする場合では、注文商品の記載漏れ若しくは注文商品を記載した伝票の紛失等の虞があり、また売店業務が中断する虞があるが、第１の端末機１１の表示手段２３の操作によって注文内容が表示されるため、売店員への業務負担を軽減しつつ確実に注文処理を行うことができる。
【図面の簡単な説明】
【００４１】
【図１】本発明に係るシステム全体の構成を示す概念図である。
【図２】本発明に係るシステム全体の構成を説明する説明図である。
【図３】本発明に係るシステムの一部を説明する説明図である。
【図４】本発明に係るシステムの一部を説明する説明図である。
【図５】本発明に係るシステムの一部を説明する説明図である。
【図６】本発明に係るシステムのイメージを表す説明図である。
【符号の説明】
【００４２】
１０  売店
１１  第１のコンピュータ端末機
１２  ＰＯＳレジスタ
１３  病院事務室
１４  病棟
１５  第２のコンピュータ端末機
１６  信号回線
１７  システムサーバ
２１  入力手段
２３  表示手段
２４  帳票出力手段
２５  照会指示手段
２６  記憶部
２７  プログラム
４０  照会データ記憶部
４１  照会データ作成プログラム
４２  照会データ送信プログラム
【図１】
2005056220.tif 000003
【図２】
2005056220.tif 000004
【図３】
2005056220.tif 000005
【図４】
2005056220.tif 000006
【図５】
2005056220.tif 000007
【図６】
2005056220.tif 000008